(57)【要約】【課題】ビビリ音を抑制すると共に、容易に電気機器に装着可能な電子部品の提供。【解決手段】フレーム１０に保持固定される電子部品１であって、電子部品１は、素子と、素子を収容する樹脂ケース２と、樹脂ケース２を覆い、対象物に固定される固定部５１を有する金属ケース５と、を備え、樹脂ケース２には、金属ケース５外に配置されフレーム１０の被装着部１１に掛止されるフック２５が設けられ、フック２５には、被装着部１１に掛止される際に被装着部１１を受け入れる把持空間２５ａが金属ケース５の表面から離間した位置に形成されている。【選択図】図９
2011134923.tif 000002
【特許請求の範囲】
【請求項１】
対象物に保持固定される電子部品であって、該電子部品は、
素子と、
該素子を収容する樹脂ケースと、
該樹脂ケースを覆い、該対象物に固定される固定部を有する金属ケースと、を備え、
該樹脂ケースには、該金属ケース外に配置され該対象物の被装着部に掛止されるフックが設けられ、該フックには、該被装着部に掛止される際に該被装着部を受け入れる把持空間が該金属ケースの表面から離間した位置に形成されていることを特徴とする電子部品。
【請求項２】
該フックは、一対設けられていることを特徴とする請求項１に記載の電子部品。
【請求項３】
該フックは、該把持空間を画成する底面と、該底面と共に該把持空間を画成し該底面から延びて互いに対向する一対の側面を有し、該一対の側面のいずれか一方若しくは両方には該側面から突出する突起部が設けられていることを特徴とする請求項１または請求項２のいずれかに記載の電子部品。
【請求項４】
該フックは、該把持空間を画成する底面と、該底面と共に該把持空間を画成し該底面から延びて互いに対向する一対の側面を有し、該被装着部に該フックが掛止されていない状態において該一対の側面の間の距離は、該一対の側面の間に位置する該被装着部の幅より小さくなるように構成されていることを特徴とする請求項１から請求項３のいずれか一に記載の電子部品。
【請求項５】
該フックは、バネ性を備えた素材から構成されていることを特徴とする請求項３または請求項４のいずれかに記載の電子部品。
【発明の詳細な説明】
【技術分野】
【０００１】
本発明は電子部品に関し、特にケース内に素子等を内蔵する電子部品に関する。
【背景技術】
【０００２】
電子部品、例えばインレットフィルタにおいては、絶縁体である樹脂ケース内に電源ケーブルのコネクタが差し込まれる差し込み部とフィルタ回路等の素子とが内蔵され、この樹脂ケースを金属ケースで覆う構成が知られている（例えば、特許文献１参照）。
【先行技術文献】
【特許文献】
【０００３】
【特許文献１】特開昭５７−４８７２２号公報
【発明の概要】
【発明が解決しようとする課題】
【０００４】
このインレットフィルタをテレビ等の電気機器に装着する際には、金属ケースに設けられた固定部等により、電気機器の被装着部に装着される。金属ケースは一般に板材を折り曲げ加工して構成されているため、被装着部にインレットフィルタが装着されることにより、被装着部と金属ケースとの間でビビリ音が発生する場合があった。ネジ止めにより完全に固定することでビビリ音は防止できるが、ネジ止めによる構成だと装着が煩わしく仮固定時の位置決めも難しくなっていた。よって本発明は、ビビリ音を抑制すると共に、容易に電気機器に装着可能な電子部品を提供することを目的とする。
【課題を解決するための手段】
【０００５】
上記課題を解決するために本発明は、対象物に保持固定される電子部品であって、電子部品は、素子と、素子を収容する樹脂ケースと、樹脂ケースを覆い、対象物に固定される固定部を有する金属ケースと、を備え、樹脂ケースには、金属ケース外に配置され対象物の被装着部に掛止されるフックが設けられ、フックには、被装着部に掛止される際に被装着部を受け入れる把持空間が金属ケースの表面から離間した位置に形成されている電子部品を提供する。
【０００６】
このような構成によると、フックにより被装着部に電子部品を掛止することができるため、電子部品の対象物への装着が容易になる。またフックは樹脂製であり、フックにおいて被装着部を受け入れる把持空間が金属ケースから離れているため、フックが被装着部に掛止されても、金属ケースと被装着部とが当接することが無く、ビビリ音の発生を防止することができる。
【０００７】
上記構成の電子部品において、フックは、一対設けられていることが好ましい。このような構成によると、安定して被装着部に電子部品をフックにより掛止することができる。
【０００８】
またフックは、把持空間を画成する底面と、底面と共に把持空間を画成し底面から延びて互いに対向する一対の側面を有し、一対の側面のいずれか一方若しくは両方には側面から突出する突起部が設けられていることが好ましい。
【０００９】
このような構成によると、突起部で被装着部を受ける構成を採るため、フックと被装着部との間の接触面積を減らすことができ、より確実にビビリ音の発生を防止することができる。
【００１０】
またフックは、把持空間を画成する底面と、底面と共に把持空間を画成し底面から延びて互いに対向する一対の側面を有し、被装着部にフックが掛止されていない状態において一対の側面の間の距離は、一対の側面の間に位置する被装着部の幅より小さくなるように構成されていることが好ましい。またフックは、バネ性を備えた素材から構成されていてもよい。
【００１１】
このような構成によると、フックにより被装着部を確実に保持することにより、安定した装着が可能になり、ビビリ音を抑制することができる。
【発明の効果】
【００１２】
本発明の電子部品によれば、ビビリ音を抑制すると共に、容易に電気機器に装着可能になる。
【図面の簡単な説明】
【００１３】
【図１】本発明の実施の形態に係る電子部品の上方からの斜視図。
【図２】本発明の実施の形態に係る電子部品の下方からの斜視図。
【図３】本発明の実施の形態に係る電子部品の樹脂ケース内を示す部分平面図。
【図４】本発明の実施の形態に係る電子部品の樹脂ケース及び金属ケースの導線引き出し側の側面図。
【図５】本発明の実施の形態に係る電子部品の正面図。
【図６】本発明の実施の形態に係る電子部品の樹脂ケースを蓋で覆った状態を示す部分平面図。
【図７】図６のVII−VII線に沿った断面部分矢視図。
【図８】本発明の実施の形態に係る電子部品の樹脂ケースを蓋で覆った状態での樹脂ケース内を示す部分平面図。
【図９】被装着部に電子部品を装着した状態での部分正面図。
【図１０】本発明の実施の形態に係る電子部品のフック部分の第一の変形例であり、被装着部に電子部品を装着した状態でのフック部周辺の部分正面図。
【図１１】本発明の実施の形態に係る電子部品のフック部分の第二の変形例であり、被装着部に電子部品を装着した状態でのフック部周辺の部分正面図。
【図１２】本発明の実施の形態に係る電子部品の保持部の変形例を示す部分側面図。
【発明を実施するための形態】
【００１４】
以下、本発明の実施の形態による電子部品について図１から図９に基づき説明する。電子部品であるインレットフィルタ１は、外部電源からの図示せぬ電源ケーブルが接続されてインレットフィルタ１が装着されている図示せぬ電気機器にノイズを除去しつつ電力を供給する部品であり、図１に示されるように、樹脂ケース２と、素子３（図３）と、蓋４と、金属ケース５と、金属蓋６と、ケーブル部７とから主に構成されている。
【００１５】
樹脂ケース２は、図３に示されるように、略長方形の底壁２Ａと底壁２Ａの周囲から延出される側壁２Ｂとを備え、内部に空間２ａが画成されるバスタブ状に構成されている。以下の説明において、この底壁２Ａの長手方向をインレットフィルタ１の長手方向と定義し、この底壁２Ａの短手方向をインレットフィルタの幅方向と定義する。また樹脂ケース２の底壁２Ａから側壁２Ｂが延出される方向をインレットフィルタ１の高さ方向と定義する。
【００１６】
樹脂ケース２の底壁２Ａには、図２に示されるように外部電源からの図示せぬ電源ケーブルが接続される差し込み部２１が設けられている。差し込み部２１には差込端子２１Ａが設けられており、図２及び図３に示されるように差込端子２１Ａは、樹脂ケース２外から内部に連通して配置されている。また図３に示されるように、樹脂ケース２の底壁２Ａにおいて樹脂ケース２の内部には、一対の素子台２１Ｂ、２１Ｂが設けられており、一対の素子台２１Ｂ、２１Ｂには、素子３及びケーブル部７がそれぞれはんだ付けされる端子２１Ｃ、２１Ｃが設けられている。
【００１７】
側壁２Ｂにおいて上端縁には、蓋４がはめ込まれる段部２ｂが形成されており、側面部分には金属ケース５に形成された後述の係止孔５ｄに係合する爪２Ｅ（図１、図２）が複数設けられている。図３に示されるように側壁２Ｂにおいて長手方向一端には、一端側壁部２Ｃが規定されており、一端側壁部２Ｃには、ケーブル挿通部２３が規定される第一壁部と第二ケーブル保持部２４が規定される第二壁部とを備える保持部２２が、一端側壁部２Ｃから外方に向けて突出して設けられている。保持部２２は、その上端縁が一端側壁部２Ｃの上端縁と一連に構成されていると共に、その上端縁にも前述の段部２ｂが形成されている。
【００１８】
ケーブル挿通部２３は、一端側壁部２Ｃから長手方向において空間２ａ外に向けて突出した第一壁部に配置されており、図４に示されるように、上端縁（第一縁部）から下側（底壁２Ａ側）へと向けて延設される第一スリット２３ａと、第一スリット２３ａの下端部分から第一スリット２３ａの延設方向と交差する幅方向一方側及び幅方向他方側にそれぞれ延設される第二スリット２３ｂ、２３ｂとが形成されている。ケーブル挿通部２３において一方の第二スリット２３ｂと他方の第二スリット２３ｂとの中間位置には、上方へ向けて突出する仕切部２３Ａが設けられている。これら第一スリット２３ａ、第二スリット２３ｂ、２３ｂそれぞれの幅は、ケーブル部７の後述のケーブル７Ａ、７Ｂ（図３）の線径より僅かに大きくなるように構成されている。第一スリット２３ａが上端縁（第一縁部）で開口しているため、後述のケーブル７Ａ、７Ｂを第一スリット２３ａの開口から挿入して第二スリット２３ｂ、２３ｂ内に配置することができる。
【００１９】
第二ケーブル保持部２４は、長手方向において一端側壁部２Ｃと同一位置であると共に一端側壁部２Ｃと同一平面上に位置する第二壁部から構成され、第二ケーブル保持部２４の上端縁（第二縁部）は、一端側壁部２Ｃの上端縁より下側になるように構成されている。また第二ケーブル保持部２４には、上端縁（第二縁部）から下側（底壁２Ａ側）へと延設される一対の第三スリット２４ａ、２４ａが形成されている。一対の第三スリット２４ａ、２４ａは、図４に示されるように、長手方向からの矢視において第一スリット２３ａを挟んで幅方向一方側と幅方向他方側とに位置すると共に、第二スリット２３ｂ、２３ｂより幅方向で外側に位置するようにずれて配置されている。また第三スリット２４ａ、２４ａの幅は、ケーブル部７の後述のケーブル７Ａ、７Ｂの線径より僅かに大きくなるように構成されている。
【００２０】
図１に示されるように、側壁２Ｂにおいて、樹脂ケース２の長手方向他端には他端側壁部２Ｄ（図１）が規定されており、他端側壁部２Ｄの外面には、一対のフック２５、２５が設けられている。一対のフック２５、２５はそれぞれ同形状であり、樹脂ケース２の幅方向に並んで配置されている。代表として一方のフック２５について説明する。フック２５は、図５に示されるように樹脂ケース２（図１）から突出する基部２５Ａと、基部２５Ａの先端から長手方向に延出される底部２５Ｂと、底部２５Ｂの先端から上方に向けて延出される腕部２５Ｃとから構成されている。基部２５Ａの他端側壁部２Ｄからの突出量は、金属ケース５を構成する金属板の板厚より大きくなるように構成されている。よって基部２５Ａの腕部２５Ｃと対向する面（側面）は、金属ケース５から離間した位置（金属ケース５外面よりも外方位置）に配置される。またフック２５には、後述の被装着部１１を受け入れる把持空間２５ａが形成されている。この把持空間２５ａは、基部２５Ａの腕部２５Ｃに対向する面と腕部２５Ｃの基部２５Ａに対向する面とを対向する一対の側面とし、これら一対の側面と連続する底部２５Ｂの面を底面として画成されている。上述のように基部２５Ａの腕部２５Ｃと対向する面（側面）が金属ケース５から離間した位置に配置されているため、把持空間２５ａは金属ケース５の表面から離間している。
【００２１】
図３に示されるように、素子３は空間２ａ内に内蔵されており、コイル部品３１と一対のコンデンサ３２、３２とを主に含んで構成されている。コイル部品３１は図示せぬリングコアを内蔵するコア部３１Ａとコア部３１Ａに巻回される一対の導線３１Ｂ、３１Ｂから構成されている。コア部３１Ａは空間２ａ内において底壁２Ａ上に固定され、一対の導線３１Ｂ、３１Ｂのうち一方の導線３１Ｂの一端が一方の端子２１Ｃにはんだ付けされて電気的に継線され、他方の導線３１Ｂの一端が他方の端子２１Ｃにはんだ付けで継線されている。また一対の導線３１Ｂ、３１Ｂの他端は差し込み部２１の差込端子２１Ａに継線されて電気的に接続されている。一対のコンデンサ３２、３２はそれぞれ一方の端子２１Ｃ及び他方の端子２１Ｃと金属ケース５とに継線されている。
【００２２】
蓋４は、図６に示されるように、平板部４１と、突出部４２と、突起部４３と、割込部４４とから主に構成されている。平板部４１は、側壁２Ｂの輪郭に沿った長方形状に構成されており、側壁２Ｂ上端縁の段部２ｂ（図３）にはめ込まれて空間２ａ（図３）を閉鎖するように構成されている。
【００２３】
突出部４２は、平板部４１と同一平面上であって平板部４１の長手方向一端側から突出しており、平板部４１が側壁２Ｂにはめ込まれた状態で、保持部２２上端縁の段部２ｂ（図３）にはめ込まれるように構成されている。
【００２４】
突起部４３は、突出部４２の突出方向先端に位置し、図７に示されるように突出部４２から下側に向けて突出する突起状に構成されている。よって突出部４２が保持部２２にはめ込まれた状態で、突起部４３は第一スリット２３ａ内に挿入される。
【００２５】
割込部４４は、図７に示されるように突起部４３の下端位置から下方へ向けて突出して構成されている。よって突出部４２が保持部２２にはめ込まれた状態で、割込部４４は一方の第二スリット２３ｂと他方の第二スリット２３ｂとの中間に位置し、仕切部２３Ａと協働して一方の第二スリット２３ｂと他方の第二スリット２３ｂとを分離した二つの空間に区切っている。この割込部４４とケーブル挿通部２３とにより第一ケーブル保持部が提供される。
【００２６】
金属ケース５は、底壁２Ａ及び側壁２Ｂの外形形状に沿うように薄板の金属板が折り曲げられて構成されており、図１または図２に示されるように、差し込み部２１、保持部２２、一対のフック２５、２５をそれぞれ金属ケース５外に突出させる差し込み部用孔５ａ、保持部用孔５ｂ、フック用孔５ｃ、５ｃがそれぞれ対応する位置に形成されている。また金属ケース５において側壁２Ｂと対向する位置には、爪２Ｅが掛止される係止孔５ｄが複数個形成されている。爪２Ｅが係止孔５ｄに掛止されることにより、金属ケース５が樹脂ケース２に脱落不能に装着される。図１に示されるように金属ケース５において、上端縁部分には、金属蓋６をかしめるカシメ片５Ａが設けられている。また金属ケース５において、フック用孔５ｃ、５ｃが形成されている面の下端位置には、長手方向に延出される固定部５１が設けられている。固定部５１には後述のネジ１３が貫通するネジ穴５１ａが形成されている。
【００２７】
金属蓋６は、図１に示されるように、蓋４において平板部４１（図６）のみを覆うように薄板の金属板が折り曲げられて構成され、略長方形に形状化される閉止部６１と、閉止部６１の略長方形の外縁から下方に向けて延びるスカート部６２とを備えて構成されている。このスカート部６２内に金属ケース５の上端縁を収容した状態で、金属ケース５のカシメ片５Ａを折り曲げることにより、金属蓋６が金属ケース５に固定され、樹脂ケース２を閉止することができる。
【００２８】
ケーブル部７は、図３に示されるように、２本のケーブル７Ａ、７Ｂから構成されている。ケーブル７Ａは、一方の端子２１Ｃに継線されており、幅方向一端側の第三スリット２４ａ内を通過した後に幅方向一端側の第二スリット２３ｂに挿入されて樹脂ケース２の外部に延出されている。ケーブル７Ｂは、他方の端子２１Ｃに継線されており、幅方向他端側の第三スリット２４ａ内を通過した後に幅方向他端側の第二スリット２３ｂに挿入されて樹脂ケース２の外部に延出されている。
【００２９】
保持部２２に上述のようにケーブル部７が挿通された状態で、蓋４が閉められて樹脂ケース２が閉止される。この状態において、図７に示されるように、第一スリット２３ａ内には突起部４３が挿入され、一方の第二スリット２３ｂと他方の第二スリット２３ｂとの間には割込部４４が位置するため、図５、図８に示されるように、ケーブル７Ａ、７Ｂはそれぞれ一方の第二スリット２３ｂの延設方向先端側と他方の第二スリット２３ｂの延設方向先端側とに移動する。第二スリット２３ｂと第三スリット２４ａとは上述のように互いにずれた位置に配置されているため、ケーブル７Ａ、７Ｂは第二スリット２３ｂで拘束されつつ第三スリット２４ａに掛止された状態になる。即ち、図８に示されるようにケーブル部７は、保持部２２の前後で屈曲する状態を採り、八の字状に位置規制されて保持部２２に保持される。保持部２２に保持されることにより、ケーブル部７が樹脂ケース２から引き抜かれることが抑制される。また蓋４を閉めない状態であっても、少なくともケーブル挿通部２３にケーブル７Ａ、７Ｂを挿通することにより、ケーブル７Ａ、７Ｂの脱落を抑制することができる。よって容易に蓋４を閉めてケーブル部７が保持された状態にすることができる。
【００３０】
また蓋４で空間２ａを閉止した後に、金属蓋６で、蓋４及び樹脂ケース２を覆い、更にカシメ片５Ａにより金属蓋６をかしめることにより、空間２ａが閉止されて、かつ不意に開放されることが防がれる。金属蓋６は、図１に示されるように蓋４において平板部４１のみ覆っており、突出部４２を覆わない構成を採っている。このように、金属蓋６において蓋４の一部のみを覆わない構成を採ることにより、金属蓋６で樹脂ケース２を覆った後に蓋４の存在の確認をすることができ、蓋４の閉め忘れを防止することができる。
【００３１】
上記構成のインレットフィルタ１を装着の対象物である図示せぬ電気機器のフレーム１０に装着するには、図９に示されるように、フレーム１０の被装着部１１を把持空間２５ａ内に受け入れるように、一対のフック２５、２５をそれぞれ被装着部１１に掛止すると共に固定部５１をフレーム１０の被固定部１２に沿わせ、仮固定を行う。この状態において、インレットフィルタ１は、二個のフック２５で被装着部１１に掛止されているため、フレーム１０に対してインレットフィルタ１にぐらつき等が発生しにくく、安定した掛止状態を保つことができる。また固定部５１を被固定部１２にネジにより固定せずとも、少なくとも一対のフック２５、２５によりインレットフィルタ１がフレーム１０に仮固定されているため、製造時の検収等においても、特に問題なくインレットフィルタ１を使用することができる。
【００３２】
ネジ穴５１ａを貫通してネジ１３により固定部５１を被固定部１２に固定することにより、インレットフィルタ１がフレーム１０に本固定される。この状態において、固定部５１と被固定部１２とはネジ１３で圧接されているため、隙間が発生することが無く、故にビビリ音は発生しない。またフック２５と被装着部１１との間では、フック２５周辺の金属ケース５が把持空間２５ａから離間しているため、把持空間２５ａに受け入れられている被装着部１１と金属ケース５とが接触することは防がれ、かつフック２５が樹脂素材であることから金属同士の接触が無く、被装着部１１とフック２５及び金属ケース５との間でのビビリ音の発生も防がれる。
【００３３】
本発明による電子部品は、上述の実施の形態に限定されず、特許請求の範囲に記載された範囲で種々の改良や変形が可能である。例えば図１０に示されるように、フック２５の把持空間２５ａを画成する内面の幅を、被装着部１１の幅と同じ、若しくは被装着部１１の幅より狭くしても良い。このような構成によると、フック２５により被装着部１１を確実に保持することができるので、インレットフィルタ１を、更に安定した状態でフレーム１０に装着することができ、ビビリ音を更に低減することができる。この構成においては、樹脂ケース２を構成する樹脂より更にバネ性の高い素材からフック２５を構成することにより、より安定してフック２５を被装着部１１に掛止することが可能になる。
【００３４】
また図１１に示されるように、フック２５の把持空間２５ａを画成する内面に、ビート状の突起部２５Ｄを設け、この突起部２５Ｄにより被装着部１１を受ける構成を採ってもよい。このような構成によると、フック２５と被装着部１１との間の接触面積を減らすことができ、より確実にビビリ音の発生を防止することができる。
【００３５】
また図１２に示されるように、第一ケーブル保持部を構成するケーブル挿通部２３において、一方の第二スリット２３ｂと他方の第二スリット２３ｂとのそれぞれの内周面にビート部２３Ｂを設けてもよい。また第二ケーブル保持部２４の一対の第三スリット２４ａ、２４ａの内周面にも同様のビート部２４Ａを設けてもよい。このような構成によると、ケーブル部７をビート部２３Ｂ、ビート部２４Ａで挟持する構成を採ることができ、より確実にケーブル部７を保持することができる。
【００３６】
また金属蓋６は、蓋４において平板部のみを覆い、他の部分を覆わない構成としたがこれに限らず、蓋４を構成する部材の一部のみを残して他の部分を覆う構成を採ればよい。このような構成であれば、金属蓋６を閉止した後に蓋４の閉め忘れの有無を確認することができる。
【００３７】
本発明は、ケース内に素子が配置され、その素子からケース外にケーブルが延出される構成を採る電子部品であるならば、上述のインレットフィルタに関わらず適用することができる。
【符号の説明】
【００３８】
１・・インレットフィルタ  ２・・樹脂ケース  ２Ａ・・底壁  ２Ｂ・・側壁
２Ｃ・・一端側壁部  ２Ｄ・・他端側壁部  ２Ｅ・・爪  ２ａ・・空間  ２ｂ・・溝
３・・素子  ４・・蓋  ５・・金属ケース  ５Ａ・・カシメ片
５ａ・・差し込み部用孔  ５ｂ・・保持部用孔  ５ｃ・・フック用孔  ５ｄ・・係止孔
６・・金属蓋  ７・・ケーブル部  ７Ａ・・ケーブル  ７Ｂ・・ケーブル
１０・・フレーム  １１・・被装着部  １２・・被固定部  １３・・ネジ
２１・・差し込み部  ２１Ａ・・差込端子  ２１Ｂ・・素子台  ２１Ｃ・・端子
２２・・保持部  ２３・・ケーブル挿通部  ２３Ａ・・仕切部  ２３Ｂ・・ビート部
２３ａ・・第一スリット  ２３ｂ・・第二スリット  ２４・・第二ケーブル保持部
２４Ａ・・ビート部  ２４ａ・・第三スリット  ２５・・フック  ２５Ａ・・基部
２５Ｂ・・底部  ２５Ｃ・・腕部  ２５Ｄ・・突起部  ２５ａ・・把持空間
３１・・コイル部品  ３１Ａ・・コア部  ３１Ｂ・・導線  ３２・・コンデンサ
４１・・平板部  ４２・・突出部  ４３・・突起部  ４４・・割込部  ５１・・固定部
５１ａ・・ネジ穴  ６１・・閉止部  ６２・・スカート部
【図１】
2011134923.tif 000003
【図２】
2011134923.tif 000004
【図３】
2011134923.tif 000005
【図４】
2011134923.tif 000006
【図５】
2011134923.tif 000007
【図６】
2011134923.tif 000008
【図７】
2011134923.tif 000009
【図８】
2011134923.tif 000010
【図９】
2011134923.tif 000011
【図１０】
2011134923.tif 000012
【図１１】
2011134923.tif 000013
【図１２】
2011134923.tif 000014